(57)【要約】【課題】施工時間を短縮することができる、畳、及び畳セットを提供する。【解決手段】本発明に係る畳は、矩形状の畳床と、畳床の少なくとも表面に取付けられた畳表と、畳床の少なくとも一辺に沿って取付けられた畳縁と、畳縁と畳床の側面との間、または前記畳表と前記畳床の側面との間、の少なくとも一方に配置された圧縮変形可能な薄板状の変形部材と、を備えている。【選択図】図２
2020190194.tif 000002
【特許請求の範囲】
【請求項１】
矩形状の畳床と、
前記畳床の少なくとも表面に取付けられた畳表と、
前記畳床の少なくとも一辺に沿って取付けられた畳縁と、
前記畳縁と前記畳床の側面との間、または前記畳表と前記畳床の側面との間、の少なく
とも一方に配置された圧縮変形可能な薄板状の変形部材と、
を備えている、畳。
【請求項２】
矩形状の畳床と、
前記畳床の少なくとも表面に取付けられた畳表と、
前記畳表と前記畳床の側面との間に配置された圧縮変形可能な薄板状の変形部材と、
を備えている、畳。
【請求項３】
前記畳縁は、前記畳床の対向する一対の長辺にそれぞれ取付けられており、
一方の前記畳縁と前記畳床との間に、前記変形部材が配置されている、請求項１に記載
の畳。
【請求項４】
前記変形部材は、段ボールシートにより形成されている、請求項１から３のいずれかに
記載の畳。
【請求項５】
部屋の床を構成する矩形状の枠内に敷き詰められた、複数の、請求項１から４のいずれ
かに記載の畳を備え、
前記各畳は、長方形状に形成され、
前記枠の隣接する２辺に配置された前記畳の長辺のうち、前記枠と対向する長辺に、前
記変形部材が配置されている、畳セット。
【発明の詳細な説明】
【技術分野】
【０００１】
本発明は、畳、及び畳セットに関する。
【背景技術】
【０００２】
従来より、種々の畳が提案されているが（例えば、特許文献１）、一般的に、畳は、床
の枠（畳寄せ）の寸法を測定した上で、形状を決定し、作製される。
【先行技術文献】
【特許文献】
【０００３】
【特許文献１】特開２００２−８９０１８号公報
【発明の概要】
【発明が解決しようとする課題】
【０００４】
しかしながら、上述した寸法の測定には時間を要し、これによって畳の施工全体に要す
る時間が長くなるという問題があった。本発明は、この問題を解決するためになされたも
のであり、施工時間を短縮することができる、畳、及び畳セットを提供することを目的と
する。
【課題を解決するための手段】
【０００５】
本発明に係る第１の畳は、矩形状の畳床と、前記畳床の少なくとも表面に取付けられた
畳表と、前記畳床の少なくとも一辺に沿って取付けられた畳縁と、前記畳縁と前記畳床の
側面との間、または前記畳表と前記畳床の側面との間、の少なくとも一方に配置された圧
縮変形可能な薄板状の変形部材と、を備えている。
【０００６】
この構成によれば、畳床の少なくとも一辺に設けられた畳縁と畳床の側面との間に圧縮
可能な変形部材を取付けているため、畳寄せの寸法を事前に正確に測定しなくても、概ね
の寸法が分かれば、畳を適切に施工することができる。例えば、事前に分かっていた寸法
と実際の寸法に誤差があったとしても、この誤差を変形部材が圧縮されることで、吸収す
ることができ、畳を適切に畳寄せに嵌め込むことができる。したがって、畳寄せの寸法を
事前に正確に測定することなく、畳の施工を行うことができ、その結果、畳の施工時間を
短縮することができる。また、畳を取付けるべき床の枠が変形していたり、畳寄せの内面
に突起物が設けられている場合も、変形部材が圧縮されるため、畳を正しく取付けること
ができる。
【０００７】
本発明に係る第２の畳は、矩形状の畳床と、前記畳床の少なくとも表面に取付けられた
畳表と、前記畳表と前記畳床の側面との間に配置された圧縮変形可能な薄板状の変形部材
と、を備えている。この構成によれば、上記第１の畳と同様の効果を得ることができる。
【０００８】
上記第１の畳において、前記畳縁は、前記畳床の対向する一対の長辺にそれぞれ取付け
ることができ、一方の前記畳縁と前記畳床との間に、前記変形部材を配置することができ
る。
【０００９】
上記各畳において、前記変形部材は特には限定されないが、例えば、段ボールシートに
より形成することができる。このような段ボールシートは、安価であり、加工しやすいた
め、好ましい。
【００１０】
本発明に係る畳セットは、部屋の床を構成する矩形状の枠内に敷き詰められた、複数の
、上述したいずれかに記載の畳を備え、前記各畳は、長方形状に形成され、前記枠の隣接
する２辺に配置された前記畳の長辺のうち、前記枠と対向する長辺に、前記変形部材が配
置されている。
【発明の効果】
【００１１】
本発明によれば、施工時間を短縮することができる。
【図面の簡単な説明】
【００１２】
【図１】本発明の一実施形態に係る畳の斜視図
【図２】図１のＡ−Ａ線断面図である。
【図３】変形部材の断面図である。
【図４】六畳間の例を示す図である。
【図５】八畳間の例を示す図である。
【図６】本発明に係る畳の他の例を示す一部断面図である。
【発明を実施するための形態】
【００１３】
以下、本発明の一実施形態に係る畳について、図面を参照しつつ説明する。図１は本発
明の一実施形態に係る畳の斜視図、図２は図１のＡ−Ａ線断面図である。
【００１４】
＜１．畳の構造＞
図１に示すように、本実施形態に係る畳１は、平面視長方形状の畳床１１と、この畳床
１１の一方の面に取付けられる畳表１２と、畳床１１の一対の長辺１１１に沿って取付け
られる畳縁１３と、を備えている。これら畳床１１、畳表１２、及び畳縁１３は、公知の
ものを用いることができる。また、本実施形態においては、図２に示すように、畳床１１
の一方の長辺１１１の側面１１３と、畳縁１３との間に、薄板状の変形部材１４が取付け
られている。この変形部材１４は、圧縮変形が可能な材料で形成されており、畳床１１の
側面に沿って、長辺方向全体に亘って延びるように形成されている。変形部材１４は、畳
床１１の厚さよりも小さい幅を有しており、畳床１１の側面に延びる畳縁１３によって覆
われるような幅となっている。変形部材１４の厚みは、例えば、１〜５ｍｍとすることが
好ましく、２〜３ｍｍであることがさらに好ましい。
【００１５】
変形部材１４を構成する材料は、圧縮変形が可能な材料であれば、特には限定されない
が、例えば、段ボールシートを用いることができる。図３に示すように、公知の段ボール
シートは、シート上の一対のライナー１４１と、これらライナー１４１の間に配置され、
波形に形成された中芯１４２とを備えている。これにより、段ボールシートは、圧縮力が
付与されることで、中芯１４２が潰れ、両ライナー１４１が近接するようになっている。
すなわち、本実施形態に係る変形部材１４は、段ボールシートによって形成されることで
、圧縮力が付与されることにより、厚みが小さくなるように塑性変形する。圧縮の程度は
特には限定されないが、例えば、圧縮によって、変形部材１４の厚みが、圧縮前の厚みの
１／１０〜３／４程度になることが好ましい。但し、施工の観点からすると、変形部材１
４の変形は、小さいことが好ましく、０〜１ｍｍ程度圧縮されることが好ましい。
【００１６】
＜２．畳の製造方法＞
次に、上記のように構成された畳の製造方法について説明する。まず、畳床１１の短辺
１１２に対し、公知の框縫いなどにより、畳表１２を縫い付ける。次に、畳床１１の長辺
１１１に対し、公知の平刺し縫いなどにより、畳表１２と畳縁１３とを縫い付ける。続い
て、上述した変形部材１４を畳床１１の側面１１３に配置した上で、この変形部材１４を
覆うように、畳縁１３を畳床１１の表面の端縁に沿って折り曲げる。これにより、折り曲
げられた畳縁１３と畳床１１の側面１１３との間に変形部材１４が配置される。これに続
いて、公知の方法である隅止めを行った上で、折り曲げられた畳縁１３を、畳床１１に対
して、公知の返し縫いなどにより縫い付ける。こうして、本実施形態に係る畳が完成する
。なお、変形部材１４は、両面テープなどで、畳床１１の側面１１３に固定した上で、こ
の変形部材１４を畳縁１３によって覆うこともできる。
【００１７】
＜３．畳の施工方法＞
例えば、図４に示すように、六畳間の部屋であれば、床を構成する枠（畳寄せ）２内に
６枚の畳が敷き詰められる。ここでは、この枠２が第１辺２１、第２辺２２、第３辺２３
、及び第４辺２４から構成されているとし、第１辺２１及び第３辺２３が長辺、第２辺２
２及び第４辺２４が短辺とする。また、説明の便宜のため、６枚の畳の番号を図４の丸中
数字に示すように、規定する。そして、本実施形態では、枠２において隣接する第１辺２
１及び第２辺２２と対向する畳、つまり第１〜第３畳の長辺１１１のうち、当該第１辺２
１及び第２辺２２と接する長辺１１１ａに上記変形部材１４を設けておく。したがって、
その他の長辺１１１には、変形部材１４を設けず、また第４〜第６畳には、変形部材１４
は全く設けられていない。
【００１８】
また、八畳間の部屋でも同様であり、図５に示すように、八畳間の床を構成する枠３の
うちの隣接する第１辺３１及び第２辺３２と対向する畳（ここでは、第１〜第３畳及び第
８畳）に変形部材１４を取付ける。すなわち、これらの畳の長辺のうち、第１辺３１及び
第２辺３２と対向する長辺１１１ａに変形部材１４を設ける。なお、上記のような六畳間
や八畳間を構成する複数の畳が本発明の畳セットに相当する。
【００１９】
＜４．特徴＞
以上のように、本実施形態によれば、畳１の長辺１１１の一方において、畳床１１の側
面１１３と畳縁１３との間に圧縮可能な変形部材１４を取付けているため、枠２，３の寸
法を事前に正確に測定しなくても、概ねの寸法が分かれば、畳を適切に施工することがで
きる。例えば、事前に分かっていた寸法と実際の寸法に誤差があったとしても、この誤差
を変形部材１４が圧縮されることで、吸収することができ、畳１を適切に枠内２，３に嵌
め込むことができる。したがって、枠２，３の寸法を事前に正確に測定することなく、畳
の施工を行うことができ、その結果、畳の施工時間を短縮することができる。また、畳１
を取付けるべき床の枠２，３が変形していたり、あるいは、枠２，３の内面に突起物が設
けられている場合も、同様に、変形部材１４が圧縮されるため、畳１を正しく取付けるこ
とができる。
【００２０】
なお、上記図４及び図５で示したように、敷き詰められるすべての畳１の長辺１１１に
変形部材１４を取付ける必要はない。すなわち、畳１を取付けるに当たっては、一般的に
事前に枠２，３の寸法を測定し、これに基づいて畳１の寸法が決定されるため、枠２，３
の寸法と畳１の寸法とが大きく相違することは生じがたい。したかって、少なくとも枠２
，３の隣接する２辺と対向する位置にある畳１の長辺１１１ａに変形部材１４を取付けて
おけば、枠２，３の歪みや突起物などの小さい変形を吸収することができる。なお、図４
では、枠２の第２辺２２に、第２畳の短辺１１２ａが接しているが、一般的に畳１の短辺
１１２は長辺１１１に比べて変形しやすいため、変形部材が設けられていなくても、枠の
歪みなどを吸収することができる。この点は、図５においても、同様である。
【００２１】
また、変形部材１４は、段ボールシートで構成されているが、段ボールシートは一般的
に安価であり、また加工しやすいため、畳の製造コストを低減することができる。
【００２２】
＜５．変形例＞
本発明は、上記実施形態に限定されるものではなく、その趣旨を逸脱しない限りにおい
て、種々の変更が可能である。なお、以下の変形例は、適宜、組み合わせることができる
。
【００２３】
上記実施形態では、変形部材１４として段ボールシートを採用しているが、これに限定
されない。すなわち、圧縮変形可能な薄板状の材料であれば、ゴムなどの弾性部材であっ
てもよい。
【００２４】
また、変形部材１４は、必ずしも長辺１１１全体に亘って設けられていなくてもよく、
長辺１１１の長さの概ね２／３以上に設けられていればよい。さらに、畳床１１の厚み方
向の全体に亘って設けられていてもよいし、一部であってもよい。但し、畳床１１は、一
般的に下方にいくにしたがって内側に傾斜しているため、変形部材１４は、畳床１１の表
面（畳表１２が取付けられる側）の端縁付近に設けることが好ましい。
【００２５】
また、変形部材１４の全体が、必ずしも畳縁１３に覆われていなくてもよく、一部が畳
縁１３から露出していてもよい。
【００２６】
上記実施形態では、畳１の一方の長辺１１１に変形部材１４を設けているが、両方の長
辺１１１に設けることもできる。また、図４及び図５の例では、枠２，３の隣接する２辺
に対向する長辺１１１ａにのみ変形部材１４を設けているが、他の部分に設けてもよく、
また他の畳にも変形部材１４を設けることができる。これは、枠の状態によって適宜決定
すればよい。なお、六畳間や八畳間以外に、本発明の畳を取付けることができるのはいう
までもない。
【００２７】
また、上記実施形態では、畳床１１の側面１１３と畳縁１３との間に変形部材１４を配
置しているが、畳床１１の側面１１３と畳表１２との間に変形部材４を配置することもで
きる。すなわち、畳縁のない畳や、あるいは畳縁は設けられているが、畳縁が設けられて
いない箇所も有する畳に、上述した変形部材１４を適用することができる。例えば、図６
（ａ）は、例えば、琉球畳のように畳縁を設けない畳の例であり、畳表１２は、変形部材
１４を覆う程度に畳床１１の側面１１３まで延ばして、畳床１１に縫い付ければよい。ま
た、図６（ｂ）は、通常の畳の畳縁が設けられていない、いわゆる框に、変形部材１４を
取付ける例であり、畳表１２は、変形部材１４を覆って畳床１１の側面１１３を通過した
上で、畳床１１の底面１１４まで延ばされて、縫い付けられる。
【００２８】
また、畳は、長方形以外でもよく、正方形や多角形状などでもよく、畳縁１３も長辺１
１１のみならず、短辺１１２にも設けることができ、畳縁１３の設けられている箇所に、
適宜、変形部材１４を設けることができる。
【符号の説明】
【００２９】
１        ：畳
２        ：枠（畳寄せ）
３        ：枠（畳寄せ）
１１      ：畳床
１１１    ：長辺
１１１ａ  ：長辺
１１３    ：側面
１２      ：畳表
１３      ：畳縁
１４      ：変形部材
【図１】
2020190194.tif 000003
【図２】
2020190194.tif 000004
【図３】
2020190194.tif 000005
【図４】
2020190194.tif 000006
【図５】
2020190194.tif 000007
【図６】
2020190194.tif 000008